(57)【要約】      （修正有）【課題】酸、アルカリ各溶液中に浸かっていても腐食や摩耗をしないまた長さの減らないビニールチューブ導電被膜付液面検出電極棒を提供する。【解決手段】液面検出金属棒の被覆であるビニールチューブ３（内径６−８ｍｍ）先端部先端部から１ｃｍのところに溝穴１を作り、液面検出金属棒を導電高分子溶液に先端部から約１５ｃｍの位置迄液漬けした後、乾燥する。液漬け後乾燥する工程を二、三回繰り返す。導電高分子容液はポリアニリン溶液である。【選択図】図１ａ
2014095681.tif 000002
【特許請求の範囲】
【請求項１】
ポリアニリン高分子溶液はビニールチューブに対し接液の際、接着及び同化作用があり又酸アルカリ溶液に対し耐腐食及び耐摩耗性もあり此れに着眼電極式液面計のビニール導電被膜付液面検出電極棒としてその先端部から１５ｃｍ処までポリアニリン導電高分子溶液に二，三回液漬け乾燥したものを特徴とする。図１ｂ
【請求項２】
電極式液面計のビニールチューブ被膜付電極棒の先端部から５ｍｍの処から刃物又はカッター等で長さ１５ｍｍ位を対面、反対面を約１ｍｍ間隔の平行な切り口をカッター等で引き溝穴作る、その事によりポリアニリン溶液の導電性に着眼此のビニールチューブ被膜付電極棒の先端部から１５ｃｍの処まで液漬け乾燥する事で其処の溝穴を液絡部として電気的導通路となるものを特徴とするものである。図３
【請求項３】
ポリアニリン高分子液は導電性があり乾燥した時点で固有抵抗１５ＫΩ位であり此れプラス対象液は、液面継電器（オムロン）の動作点５０ＫΩ以下の範囲内であることから此れに着眼液面計制御に於いてビニールチューブ導電被膜付電極棒の導電被膜として具備出来ることを特徴とするものである。図  １ｂ２ｂ
【発明の詳細な説明】
【技術分野】
【０００１】  本発明は電極式液面計用電極棒に関するものであり此の電極棒及び外皮であるビニールチューブの先端部を高分子ホリアリニン導電溶液で被膜を作り乾燥することで酸、アルカリ溶液に対し耐腐食及び耐摩耗性であるビニールチューブ導電被覆付液面検出電極棒とする。
【背景技術】
【０００２】以前電極棒チップとして審査請求の期日を逃してしまい無効になったものであるが今回新たに改良の上ビニールチューブ導電被膜付液面検出電極棒として出願するものである。
【非特許文献１】  特願２００３−４３６３８０  公開２００５−１７２７７８  号公報
【発明の開示】
【発明が解決しようとする課題】
【０００３】  従来の液面検出被服付電極棒は先端部分が露出金属製のために酸アルカリの測定液により腐食摩耗する、そのため電極棒の長さが短くなりまた導通値も無くなるしたがって制御系に誤動作を起こす事になる、このような不都合なことがあり此れを解決することを課題とする。
【課題を解決するための手段】
【０００４】この課題を解決するための請求項１の発明はビニールチューブ被膜付き電極棒図２ｂの先端部から１５ｃｍまでのところをポリアニリン導電溶液に二、三回液漬け乾燥する事で酸、アルカリ液から腐食摩耗を防げる事である。【０００５】また請求項２の発明はビニールューブ付電極棒のビニールチューブの先端部分から約１０ｍｍ程の処から幅１ｍｍ長さ約１，５ｃｍをカッター等の刃物で対面或いは反対面を切り矩形の切り口による溝穴を作ったものであり図３、又此の部分及びビニールチューブ付電極棒先端部から１５ｃｍまでのところをポリアニリン導電溶液に２又は３回程液浸漬け乾燥する，此のことによりこの溝穴はポリアニリンの塊で埋まり其処が液絡部とし電気的導通路となる、すなわちビニールチューブ導電被膜付液面検出電極棒の中身である金属棒と周囲測定液とに電気的導通が生ずる事となる。【０００６】更に請求項３の発明はポリアニリン溶液は導電高分子であり５〜１５ｋΩの固有抵抗を持つもので又、ビニール樹脂やビニールチューブに化学的同化作用や接着作用を生ずる
そのため此の事に着眼採用したものである。電極式液面継電器の動作点は０〜５０ｋΩ設定でき本発明のビニルチューブ導電被膜付液面検出部電極棒の固有抵抗５〜１５ＫΩプラス酸、アルカリ溶液はこの電極式液面継電器（オムロン）の動作点の範囲に充分入り液面自動制御系に採用できる。
【発明の効果】
【０００７】本発明によるポリアニリン導電高分子液付着乾燥のビニールチューブ導電被覆付電極棒図２ａｂは酸、アルカリ性の測定液や測定流体に対して耐腐食、耐摩耗性があり連続使用で５年間の実績があります。此の実績から素材の液面検出電極棒に高価なステンレス鋼材やチタン、鉛材等を必要とせず安価なステンレス鋼ｓｕｓ２２や炭素鋼でよいことになる。従ってこれ等の鋼材でも本発明のポリアニリン高分子導電塗料を液漬けしたビニールチューブと鋼棒を組み付けした安価な耐腐食性耐摩耗性の電極式液面計検出棒で液面制御を行える事となった。
又此のビニールチューブ導電被膜付液面検出電極棒は耐摩耗性及び耐腐食性であるために他の電極棒と異なり一年で短小と成ることも無く従ってタンク内分析液の計量値のバラツキも安定させることも出来又、タンクオーバー等の事故も無い。【０００８】ビニールチューブ被膜３の先端部から１０ｍｍの点から対面或いは反対部分をカッター等で長さ１、５ｃｍ幅１ミリ位の平行間隔で２本の切り口から矩形の溝穴を開ける図３その後先端部から１５ｃｍ迄ポリアニリン導電液に液漬けし更に心棒である鋼材電極棒をこれまた同様の長さを液漬け乾燥しておく更にこれ等二つを組み付けして更に其れの先端部１５ｃｍのところを液漬け乾燥を２〜３回繰り返す（図１ｂ）この時溝穴の部分には高分子導電液が塊となり付着していて測定液との液絡部即ち電気的導通路を形成することになる。
従来の特願２００５−１１１３９３の件は本発明の溝穴の部位はポンチ穴となっているが溝穴の方がより簡便に細工が出来ることとなった。
【発明を実施するための最良の形態】
【０００９】図１ａはビニールチューブ被覆金属棒のビニールチューブの先端部よりカッター等で１０ｍｍの点から約長さ１．５ｃｍ幅１ｍｍの切り口を若干切開いた溝穴を作ったものを対面、及び反対面に設けたものの断面図である，又ビニールチューブの先端部は開放となっている。
図１ｂは図１ａのビニービニールチュールチューブ被覆金属棒のビニールチューブの先端部を開いているもので溝穴を含めてその先端部から１５ｃｍの処までアニリン導電溶液に二三回液漬け乾燥したものであり又その溝穴の部分が塊となり測定液（酸、アルカリ液）との液絡部となり又電気的導通路として継電器動作電流が流れる事となる。【００１０】図２ａは図１ａのビニールチューブ被覆金属棒のビニールチューブの先端部を閉塞したものである。従って此の中にある金属棒の先端部は測定液である酸、アルカリ液に接触する事が無く液面継電器動作電流は液絡部をを通過する。その他に腐食、摩耗が殆ど無くなった。
図２ｂは高分子ポリアニリン溶液にビニールチューブ被膜付電極棒の先端部から１５ｃｍの長さの部分まで液漬け乾燥を二三回繰り替えしたものでありこの部分に設けて有る溝穴（液絡部）の中が高分子ポリアニリン溶液の塊りとなっている。又この部分を継電器動作電流が流れる点でもある。即ちタンク内の酸、アルカリ液の導電抵抗値＋ビニールチューブ導電被膜付電極棒の固有抵抗約１５ＫΩはオムロンフロートレス継電器の動作点０〜５０ＫΩの範囲に入るため充分な液面自動制御が可能となった。【００１１】図３はビニールチューブに溝穴を開けたところの斜視図でありカッター等で容易に開けることができ溝穴の寸法は幅約１ｍｍ長さ１．５ｃｍ位のものである。従来のものはポンチ穴であったが今回のものより面倒であり今回の発明ものは動作電流の量が良く安定している。【００１２】図４ａ及び４ｂはビニールチューブ導電被膜付液面検出電極棒に碍子型電極ホルダーを組み付けしたものであり図５の屋外タンクへのホルダー取付架台１０へ設置液面自動制御回路を形成しているものである。【００１３】図５はフロートレス継電器（オムロン）と本発明のビニールチューブ導電被膜付液面検出電極棒との組み合わせによる液面制御の展開図である。
【図面の簡単な説明】
【図１ａ】ビニールチューブ先端部開放形被覆付液面検出電極棒であってその先端部にポリアニリン導電被膜を施す部分の断面図である。
【図１ｂ】ビニールチューブ先端部開放型導電被膜付液面検出電極棒であってその先端部にポリアニリン導電被膜を施した部分の正面図であり黒塗りの１５ｃｍところがポリアニリン導電被膜部分である
【図２ａ】ビニールチューブ先端部密閉形被覆付液面検出電極棒であってその先端部にポリアニリン導電被膜を施す部分の断面図である
【図２ｂ】ビニールチューブ先端部密閉形導電被膜付液面検出電極棒であってその先端部にポリアニリン導電被膜を施した部分の正面図であり黒い部分がポリアニリン導電被膜部分である。
【図３】ビニールチューブ被覆付電極棒のビニールチューブ被覆を矩形の切り口から溝穴（液絡部）を作った斜視図である。
【図４ａ】ビニールチューブ先端部開放形導電被膜付液面検出電極棒であってその先端部にポリアニリン導電被膜を液漬け乾燥したものであって碍子ホルダー付のものである。
【図４ｂ】ビニールチューブ先端部密閉形導電被膜付液面検出電極棒であってその先端部にポリアニリン導電被膜を液漬けしたものであって碍子ホルダー付のものだある。
【図５】図はフロートレス継電器によるタンク内の液面自動制御方式の一例であります、本発明のビニールチューブ導電被覆付液面検出電極棒図４ａ  ｂが架台１０に設置し電気的制御回路を形成しているものであります。
【符号の説明】１ビニールチューブ溝穴（液絡部）９酸またはアルカリ液貯槽  １２継電器
２電極棒                      １０ホルダー取付架台        １３表示灯
３ビニールチューブ            １１電気配線                １４被覆付電極棒（短）
４締め付けナット                                          １５被覆付電極棒（中）
５接続用袋ナット                                          １６被覆付電極棒（長）
６碍子ホルダー                                            １７液面
７ポリアニリン導電被膜                                    １８入口弁
８ナット端子                                              １９出口弁
【図１ａ】
2014095681.tif 000003
【図１ｂ】
2014095681.tif 000004
【図２ａ】
2014095681.tif 000005
【図２ｂ】
2014095681.tif 000006
【図３】
2014095681.tif 000007
【図４ａ】
2014095681.tif 000008
【図４ｂ】
2014095681.tif 000009
【図５】
2014095681.tif 000010
【手続補正書】
【提出日】平成24年12月11日(2012.12.11)
【手続補正１】
【補正対象書類名】明細書
【補正対象項目名】０００７
【補正方法】変更
【補正の内容】
【０００７】本発明によるポリアニリン導電高分子液付着乾燥のビニールチューブ導電被覆付電極棒図２ａｂは酸、アルカリ性の測定液や測定流体に対して耐腐食、耐摩耗性があり連続使用で５年間の実績があります。此の実績から素材の液面検出電極棒に高価なステンレス鋼材やチタン、鉛材等を必要とせず安価なステンレス鋼ｓｕｓ２２や炭素鋼でよいことになる。従ってこれ等の鋼材でも本発明のポリアニリン高分子導電塗料を液漬けしたビニールチューブと鋼棒を組み付けした安価な耐腐食性耐摩耗性の電極式液面計検出棒で液面制御を行える事となった。
又此のビニールチューブ導電被膜付液面検出電極棒は耐摩耗性及び耐腐食性であるために他の電極棒と異なり一年で短小と成ることも無く従ってタンク内分析液の計量値のバラツキも安定させることも出来又、タンクオーバー等の事故も無い。
【手続補正２】
【補正対象書類名】明細書
【補正対象項目名】０００８
【補正方法】変更
【補正の内容】
【０００８】ビニールチューブ被膜３の先端部から１０ｍｍの点から対面或いは反対部分をカッター等で長さ１、５ｃｍ幅１ミリ位の平行間隔で２本の切り口から矩形の溝穴を開ける図３その後先端部から１５ｃｍ迄ポリアニリン導電液に液漬けし更に心棒である鋼材電極棒をこれまた同様の長さを液漬け乾燥しておく更にこれ等二つを組み付けして更に其れの先端部１５ｃｍのところを液漬け乾燥を２〜３回繰り返す（図１ｂ）この時溝穴の部分には高分子導電液が塊となり付着していて測定液との液絡部即ち電気的導通路を形成することになる。
以前の特願２００３−４３６３８０で公開２００５−１７２７７８号公報の件は本発明の溝穴の部位はポンチ穴となっているが溝穴の方がより簡便に細工が出来ることとなった。